(57)【要約】【課題】表示画面の接触位置によって音像定位を制御すること。【解決手段】接触判断部１０３によって利用者が表示画面に接触したと判断された場合、位置検出部１０４によって利用者の接触した接触位置を検出する。さらに、時間判断部１０５によって、利用者が表示画面に接触していた時間が所定時間以上と判断された場合、表示制御部１０６によって表示画面を制御して、接触位置にただちにアイコンを移動し、音量制御部１０７によって、接触位置が音像定位となるように、各スピーカに出力する音量を制御する。一方、接触していた時間が所定時間以上ではないと判断された場合、表示制御部１０６によって表示画面を制御して、接触位置まで徐々にアイコンを移動し、音量制御部１０７によって、接触位置に対応する音像定位に徐々に近づくように、各スピーカに出力する音量を連続的に制御する。【選択図】図１
2009027280.tif 000002
【特許請求の範囲】
【請求項１】
配置されたスピーカの音像定位位置をアイコンによって表示する表示画面を備えた出力制御装置において、
利用者が前記表示画面に接触したか否かを判断する接触判断手段と、
前記接触判断手段によって前記利用者が前記表示画面に接触したと判断された場合、当該利用者の接触した接触位置を検出する位置検出手段と、
前記表示画面を制御して、前記位置検出手段によって検出された前記利用者の接触した接触位置に前記アイコンを移動する表示制御手段と、
前記位置検出手段によって検出された接触位置が音像定位となるように、各スピーカに出力する音量を制御する音量制御手段と、
を備えることを特徴とする出力制御装置。
【請求項２】
前記接触判断手段は、前記利用者が表示画面に接触した回数を判断し、
前記音量制御手段は、前記接触判断手段による判断結果に応じて、各スピーカに出力する音量を制御することを特徴とする請求項１に記載の出力制御装置。
【請求項３】
前記接触判断手段によって前記利用者が前記表示画面に接触したと判断されてから、当該表示画面に接触していた時間が所定時間以上か否かを判断する時間判断手段を備え、
前記音量制御手段は、前記時間判断手段によって前記表示画面に接触していた時間が所定時間以上であると判断された場合、前記位置検出手段によって検出された接触位置がただちに音像定位となるように、各スピーカに出力する音量を制御することを特徴とする請求項１または２に記載の出力制御装置。
【請求項４】
前記表示制御手段は、前記時間判断手段によって前記表示画面に接触していた時間が所定時間以上であると判断された場合、前記表示画面を制御して、前記位置検出手段によって検出された接触位置に、ただちに前記アイコンを移動することを特徴とする請求項３に記載の出力制御装置。
【請求項５】
前記音量制御手段は、前記時間判断手段によって前記表示画面に接触していた時間が所定時間以上であると判断されなかった場合、前記位置検出手段によって検出された接触位置に対応する音像定位に徐々に近づくように、各スピーカに出力する音量を連続的に制御することを特徴とする請求項３または４に記載の出力制御装置。
【請求項６】
前記表示制御手段は、前記時間判断手段によって前記表示画面に接触していた時間が所定時間以上であると判断されなかった場合、前記表示画面を制御して、前記位置検出手段によって検出された接触位置まで徐々に前記アイコンを移動することを特徴とする請求項５に記載の出力制御装置。
【請求項７】
前記表示制御手段によって、前記表示画面を制御して、前記位置検出手段によって検出された接触位置まで徐々に前記アイコンを移動している間に、前記利用者が表示画面上の当該アイコンに接触したか否かを判断する再接触判断手段を備え、
前記位置検出手段は、前記再接触判断手段によって前記利用者が前記表示画面上の前記アイコンに接触したと判断された場合、当該利用者の接触した接触位置を検出し、
前記音量制御手段は、前記位置検出手段によって検出された接触位置が音像定位となるように、各スピーカに出力する音量を制御することを特徴とする請求項５または６に記載の出力制御装置。
【請求項８】
前記表示制御手段は、前記表示画面に、移動体に搭載されたスピーカの配置位置を表示することを特徴とする請求項１〜７のいずれか一つに記載の出力制御装置。
【請求項９】
前記表示制御手段は、前記利用者の前後左右にそれぞれ配置されたスピーカの配置位置に応じた音像定位位置を表示することを特徴とする請求項１〜８のいずれか一つに記載の出力制御装置。
【請求項１０】
前記表示制御手段は、前記表示画面に車室内のイラストを表示することを特徴とする請求項１〜９のいずれか一つに記載の出力制御装置。
【請求項１１】
前記接触判断手段は、前記表示画面に積層されたタッチパネルからの入力によって前記利用者が当該表示画面に接触したか否かを判断することを特徴とする請求項１〜１０に記載の出力制御装置。
【請求項１２】
スピーカの配置位置および音像定位位置を表示する表示画面を備えた出力制御装置における出力制御方法において、
利用者が前記表示画面に接触したか否かを判断する接触判断工程と、
前記接触判断工程によって前記利用者が前記表示画面に接触したと判断された場合、当該利用者の接触した接触位置を検出する位置検出工程と、
前記表示画面を制御して、前記位置検出工程によって検出された前記利用者の接触した接触位置に音像定位位置を示すアイコンを移動する表示制御工程と、
前記位置検出工程によって検出された接触位置が音像定位となるように、各スピーカに出力する音量を制御する音量制御工程と、
を含むことを特徴とする出力制御方法。
【請求項１３】
請求項１２に記載の出力制御方法をコンピュータに実行させることを特徴とする出力制御プログラム。
【請求項１４】
請求項１３に記載の出力制御プログラムを記録したことを特徴とするコンピュータに読み取り可能な記録媒体。
【発明の詳細な説明】
【技術分野】
【０００１】
この発明は、表示画面の接触位置によって音像定位を制御する出力制御装置、出力制御方法、出力制御プログラムおよび記録媒体に関する。ただし、この発明の利用は、上述した出力制御装置、出力制御方法、出力制御プログラムおよび記録媒体には限られない。
【背景技術】
【０００２】
従来、配置された複数のスピーカに出力する音声データの音量レベルをモデル化して表示部に表示し、それぞれのスピーカごとに音量レベルをボリュームつまみによって調整するオーディオ装置が提案されている（たとえば、下記特許文献１参照。）。このオーディオ装置によれば、表示部の表示を利用して各スピーカに出力する音声データの音量レベルを調整することができるとともに、各スピーカに出力する音声データの音量レベルを視覚的に把握することができる。
【０００３】
【特許文献１】特開２００１−２１８３００号公報
【発明の開示】
【発明が解決しようとする課題】
【０００４】
しかしながら、上述した特許文献１の技術では、それぞれのスピーカに出力する音量レベルを調整することはできるが、配置されたすべてのスピーカに出力する音声データの音源の音像定位を調整することができないといった問題が一例として挙げられる。また、各スピーカごとに音量レベルを調整しなくてはならないため手間がかかるといった問題が一例として挙げられる。さらに、ボリュームつまみによって調整するため、大まかな調整をおこなうときも１段階ずつ調整しなければならないといった問題が一例として挙げられる。
【課題を解決するための手段】
【０００５】
上述した課題を解決し、目的を達成するため、請求項１の発明にかかる出力制御装置は、配置されたスピーカの音像定位位置をアイコンによって表示する表示画面を備えた出力制御装置において、利用者が前記表示画面に接触したか否かを判断する接触判断手段と、前記接触判断手段によって前記利用者が前記表示画面に接触したと判断された場合、当該利用者の接触した接触位置を検出する位置検出手段と、前記表示画面を制御して、前記位置検出手段によって検出された前記利用者の接触した接触位置に前記アイコンを移動する表示制御手段と、前記位置検出手段によって検出された接触位置が音像定位となるように、各スピーカに出力する音量を制御する音量制御手段と、を備えることを特徴とする。
【０００６】
また、請求項１２の発明にかかる出力制御方法は、スピーカの配置位置および音像定位位置を表示する表示画面を備えた出力制御装置における出力制御方法において、利用者が前記表示画面に接触したか否かを判断する接触判断工程と、前記接触判断工程によって前記利用者が前記表示画面に接触したと判断された場合、当該利用者の接触した接触位置を検出する位置検出工程と、前記表示画面を制御して、前記位置検出工程によって検出された前記利用者の接触した接触位置に音像定位位置を示すアイコンを移動する表示制御工程と、前記位置検出工程によって検出された接触位置が音像定位となるように、各スピーカに出力する音量を制御する音量制御工程と、を含むことを特徴とする。
【０００７】
また、請求項１３の発明にかかる出力制御プログラムは、請求項１２に記載の出力制御方法をコンピュータに実行させることを特徴とする。
【０００８】
また、請求項１４の発明にかかる記録媒体は、請求項１３に記載の出力制御プログラムをコンピュータに読み取り可能な状態で記録したことを特徴とする。
【発明を実施するための最良の形態】
【０００９】
以下に添付図面を参照して、この発明にかかる出力制御装置、出力制御方法、出力制御プログラムおよび記録媒体の好適な実施の形態を詳細に説明する。
【００１０】
（実施の形態）
（出力制御装置の機能的構成）
まず、この発明の実施の形態にかかる出力制御装置１００の機能的構成について説明する。図１は、本実施の形態にかかる出力制御装置の機能的構成を示すブロック図である。図１において、出力制御装置１００は、音声出力部１０１と、表示部１０２と、接触判断部１０３と、位置検出部１０４と、時間判断部１０５と、表示制御部１０６と、音量制御部１０７と、再接触判断部１０８と、を備えている。
【００１１】
音声出力部１０１は、複数のスピーカを備えている。音声出力部１０１は、後述する音量制御部１０７の制御によって出力される音量が制御される。スピーカからは、それぞれ異なる音量の音声データが出力されてもよい。また、スピーカは、具体的には、利用者の前後左右にそれぞれ配置される。出力制御装置１００が車両に備えられている場合、音声出力部１０１は、具体的には、たとえば、車両前方にセンタースピーカを備え、フロントシートの左右にそれぞれフロントスピーカを備え、リアシートの左右にそれぞれリアスピーカを備え、車両の後方にバックセンタースピーカを備える構成でもよい。
【００１２】
表示部１０２は、配置されたスピーカの音像定位位置をアイコンによって表示する表示画面を備えている。表示画面には、たとえば、タッチパネルなどの利用者の接触により入力を受け付ける入力デバイスが積層されている。音像定位は、音声出力部１０１から出力される音声データの音源の方向と距離とを示す。したがって、利用者は、音像定位の位置が変更されることで、聴取する音声データの音源の方向と距離とが異なって聞こえることとなる。
【００１３】
接触判断部１０３は、利用者が表示画面に接触したか否かを判断する。接触判断部１０３は、具体的には、たとえば、表示画面に積層されたタッチパネルからの入力によって、利用者が表示画面に接触したか否かを判断する。また、接触判断部１０３は、利用者が表示画面に接触した回数を判断してもよい。
【００１４】
位置検出部１０４は、接触判断部１０３によって利用者が表示画面に接触したと判断された場合、該利用者の接触した接触位置を検出する。位置検出部１０４は、具体的には、たとえば、表示画面に積層されたタッチパネルからの入力によって、表示画面上の利用者の接触した接触位置の座標を検出する。また、位置検出部１０４は、接触判断部１０３によって利用者が表示画面に複数回接触したと判断された場合、それぞれの接触位置を検出してもよい。さらに、接触判断部１０３によって利用者が表示画面に複数回接触したと判断された場合や、利用者が連続的に位置を変更しながら接触した場合、利用者が最後に接触した位置を検出してもよい。
【００１５】
時間判断部１０５は、接触判断部１０３によって利用者が表示画面に接触したと判断されてから、該表示画面に接触していた時間が所定時間以上か否かを判断する。時間判断部１０５は、具体的には、たとえば、接触していた時間が所定時間以上の場合、「長押し」と判断し、接触していた時間が所定時間未満の場合、「短押し」と判断する。ここで、所定時間は、利用者によって設定可能であってもよい。また、たとえば、接触判断部１０３によって利用者が表示画面に複数回接触したと判断された場合、それぞれについて表示画面に接触していた時間が所定時間以上か否かを判断してもよい。
【００１６】
表示制御部１０６は、表示画面を制御して、位置検出部１０４によって検出された利用者の接触した接触位置に音像定位位置を示すアイコンを移動する。また、表示制御部１０６は、移動体に搭載されたスピーカの配置位置に応じた音像定位位置を表示する。表示制御部１０６は、具体的には、利用者の前後左右にそれぞれ配置されたスピーカの配置位置に応じた音像定位位置を表示する。また、出力制御装置１００が車両に搭載されている場合、表示制御部１０６は、表示画面に、たとえば、車室内のイラストを表示してもよい。また、表示画面に、たとえば、スピーカの配置位置を表示してもよい。
【００１７】
表示制御部１０６は、たとえば、時間判断部１０５によって表示画面に接触していた時間が所定時間以上であると判断された場合、表示画面を制御して、位置検出部１０４によって検出された接触位置に、ただちにアイコンを移動する。また、表示制御部１０６は、たとえば、時間判断部１０５によって表示画面に接触していた時間が所定時間以上であると判断されなかった場合、表示画面を制御して、位置検出部１０４によって検出された接触位置まで徐々にアイコンを移動してもよい。
【００１８】
音量制御部１０７は、位置検出部１０４によって検出された接触位置が音像定位となるように、各スピーカに出力する音量を制御する。また、音量制御部１０７は、接触判断部１０３による判断結果に応じて、各スピーカに出力する音量を制御してもよい。音量制御部１０７は、たとえば、利用者が表示画面に接触した回数によって、各スピーカに出力する音量を制御してもよい。具体的には、たとえば、利用者が表示画面に１回接触した場合、音像定位位置を特定するのみで、音像定位は変更せず、利用者が表示画面に連続して２回接触した場合、接触した位置に応じて音像定位を変更してもよい。
【００１９】
音量制御部１０７は、時間判断部１０５によって表示画面に接触していた時間が所定時間以上であると判断された場合、位置検出部１０４によって検出された接触位置がただちに音像定位となるように、各スピーカに出力する音量を制御する。また、音量制御部１０７は、たとえば、時間判断部１０５によって表示画面に接触していた時間が所定時間以上であると判断されなかった場合、位置検出部１０４によって検出された接触位置に対応する音像定位に徐々に近づくように、各スピーカに出力する音量を連続的に制御してもよい。各スピーカの制御は、たとえば、音声出力の音圧レベル、音域、それぞれのスピーカの出力量などを、音像定位の位置にあわせて調整する。
【００２０】
再接触判断部１０８は、表示制御部１０６によって、表示画面を制御して、位置検出部１０４によって検出された接触位置まで徐々にアイコンを移動している間に、利用者が表示画面上の該アイコンに接触したか否かを判断する。そして、再接触判断部１０８によって利用者が表示画面上のアイコンに接触したと判断された場合、位置検出部１０４によって検出された接触位置が音像定位となるように、音量制御部１０７によって各スピーカに出力する音量を制御する。
【００２１】
（出力制御装置の出力制御処理手順）
つぎに、出力制御装置１００の出力制御処理手順について説明する。図２は、出力制御装置の出力制御処理手順を示すフローチャートである。図２のフローチャートにおいて、まず、接触判断部１０３によって利用者が表示画面に接触したと判断されるまで待って（ステップＳ２０１：Ｎｏのループ）、利用者が表示画面に接触したと判断された場合（ステップＳ２０１：Ｙｅｓ）、接触した回数を判断する（ステップＳ２０２）。
【００２２】
つぎに、位置検出部１０４によって、ステップＳ２０１において利用者の接触した接触位置を検出する（ステップＳ２０３）。さらに、時間判断部１０５によって、利用者が表示画面に接触したと判断されてから、該表示画面に接触していた時間が所定時間以上か否かを判断する（ステップＳ２０４）。
【００２３】
ステップＳ２０４において接触していた時間が所定時間以上と判断された場合（ステップＳ２０４：Ｙｅｓ）、表示制御部１０６によって表示画面を制御して、ステップＳ２０３において検出された接触位置に、ただちにアイコンを移動する（ステップＳ２０５）。また、音量制御部１０７によって、ステップＳ２０３において検出された接触位置がただちに音像定位となるように、各スピーカに出力する音量を制御して（ステップＳ２０６）、一連の処理を終了する。
【００２４】
ステップＳ２０４において接触していた時間が所定時間以上ではないと判断された場合（ステップＳ２０４：Ｎｏ）、表示制御部１０６によって表示画面を制御して、ステップＳ２０３において検出された接触位置まで徐々にアイコンを移動する（ステップＳ２０７）。また、音量制御部１０７によって、ステップＳ２０３において検出された接触位置に対応する音像定位に徐々に近づくように、各スピーカに出力する音量を連続的に制御する（ステップＳ２０８）。
【００２５】
つぎに、利用者が、ステップＳ２０７において徐々に移動されているアイコンに接触したか否かを判断する（ステップＳ２０９）。ステップＳ２０９において利用者がアイコンに接触していない場合（ステップＳ２０９：Ｎｏ）、そのまま一連の処理を終了する。ステップＳ２０９においては、たとえば、ステップＳ２０７において徐々に移動しているアイコンに利用者が接触せず、ステップＳ２０３において検出された接触位置に到達した場合、そのまま一連の処理を終了するようにしてもよい。
【００２６】
ステップＳ２０９において利用者がアイコンに接触した場合（ステップＳ２０９：Ｙｅｓ）、位置検出部１０４によって、ステップＳ２０９において利用者の接触した接触位置を検出する（ステップＳ２１０）。そして、ステップＳ２１０において検出された接触位置が音像定位となるように、各スピーカに出力する音量を制御して（ステップＳ２１１）、一連の処理を終了する。
【００２７】
なお、図２のフローチャートにおいては、ステップＳ２０２において接触した回数を判断するとしているが、これに限るものではない。具体的には、たとえば、ステップＳ２０２を省き、接触した回数に関わらず、利用者の接触した接触位置を検出してもよい。
【００２８】
また、図２のフローチャートにおいては、ステップＳ２０４において接触していた時間が所定時間以上か否かを判断し、接触していた時間が所定時間以上ではないと判断された場合、ステップＳ２０７に進む構成としているが、これに限るものではない。具体的には、たとえば、ステップＳ２０３において利用者の接触した接触位置を検出した後、ステップＳ２０７に進み、徐々にアイコンを移動し、さらに、ステップＳ２０８に進み、音量を連続的に制御する構成でもよい。この場合、利用者が表示画面への接触をやめたか否かを判断して、利用者が表示画面への接触をやめたと判断された場合、ステップＳ２１１に進み、利用者が表示画面への接触をやめたときのアイコンの位置が音像定位となるように音量を制御する。一方、利用者が表示画面への接触をやめる前に、利用者の接触した接触位置までアイコンが到達した場合、この接触位置が音像定位となるように音量を制御する。
【００２９】
また、図２のフローチャートにおいては、ステップＳ２０９においてアイコンに接触したか否かを判断しているが、これに限るものではない。具体的には、たとえば、アイコンに接触しなくても、表示画面上の任意の位置に接触すればよい。この場合、利用者が表示画面上の任意の位置に接触したときのアイコンの位置が音像定位となるように音量を制御する。
【００３０】
上述したように、本実施の形態の出力制御装置１００によれば、接触判断部１０３によって利用者が表示画面に接触したと判断された場合、位置検出部１０４によって該利用者の接触した接触位置を検出する。そして、表示制御部１０６によって表示画面を制御して、位置検出部１０４によって検出された利用者の接触した接触位置にアイコンを移動し、音量制御部１０７によって、位置検出部１０４によって検出された接触位置が音像定位となるように、各スピーカに出力する音量を制御することができる。したがって、表示画面上の利用者の接触した接触位置を、音像定位位置として特定することができる。これによって、利用者は、大幅な調整をおこなう場合にも、簡単な操作で音像定位位置を特定することができる。また、利用者は、視覚と聴覚とで効果を確認しながらフェダーおよびバランスの調整をおこなうことができる。
【００３１】
また、本実施の形態の出力制御装置１００によれば、音量制御部１０７によって、接触判断部１０３による判断結果に応じて、各スピーカに出力する音量を制御することができる。したがって、たとえば、利用者が表示画面に接触した回数によって、各スピーカに出力する音量を制御することができる。これによって、利用者は、たとえば、表示画面上においてもマウスのワンクリックとダブルクリックとのような感覚で、音像定位を操作することができる。また、利用者は、接触回数の違いによって様々な操作をおこなうことができる。
【００３２】
また、本実施の形態の出力制御装置１００によれば、時間判断部１０５によって表示画面に接触していた時間が所定時間以上であると判断された場合、位置検出部１０４によって検出された接触位置がただちに音像定位となるように、音量制御部１０７によって、各スピーカに出力する音量を制御することができる。したがって、表示画面上において利用者が所定時間以上接触していた接触位置を、音像定位位置として特定することができる。これによって、利用者は、大幅な調整をおこなう場合にも、簡単な操作ですぐに音像定位位置を特定することができる。
【００３３】
また、本実施の形態の出力制御装置１００によれば、時間判断部１０５によって表示画面に接触していた時間が所定時間以上であると判断された場合、表示制御部１０６によって、表示画面を制御して、位置検出部１０４によって検出された接触位置に、ただちにアイコンを移動することができる。したがって、表示画面上において利用者が所定時間以上接触していた接触位置に、すぐにアイコンを移動させることができる。これによって、利用者は、変更された音像定位の位置を視覚的に確認することができる。
【００３４】
また、本実施の形態の出力制御装置１００によれば、時間判断部１０５によって表示画面に接触していた時間が所定時間以上であると判断されなかった場合、位置検出部１０４によって検出された接触位置に対応する音像定位に徐々に近づくように、音量制御部１０７によって、各スピーカに出力する音量を連続的に制御することができる。したがって、表示画面に接触していた時間が所定時間以上でない場合、接触位置に対応する音像定位まで徐々に音像定位位置を変更することができる。これによって、利用者は、所望の音像定位位置に正確に接触しなくても、徐々に変更される音像定位を聴覚で確認しながら、所望の音像定位位置を特定することができる。
【００３５】
また、本実施の形態の出力制御装置１００によれば、時間判断部１０５によって表示画面に接触していた時間が所定時間以上であると判断されなかった場合、表示制御部１０６によって、表示画面を制御して、位置検出部１０４によって検出された接触位置まで徐々にアイコンを移動することができる。したがって、表示画面に接触していた時間が所定時間以上でない場合、接触位置に対応する音像定位まで徐々に音像定位位置を変更することができる。これによって、利用者は、所望の音像定位位置に正確に接触しなくても、徐々に変更される音像定位を聴覚と視覚とで確認しながら、所望の音像定位位置を特定することができる。
【００３６】
また、本実施の形態の出力制御装置１００によれば、再接触判断部１０８によって利用者が表示画面上のアイコンに接触したと判断された場合、位置検出部１０４によって、該利用者の接触した接触位置を検出し、位置検出部１０４によって検出された接触位置が音像定位となるように、音量制御部１０７によって、各スピーカに出力する音量を制御することができる。したがって、徐々に音像定位位置を変更している間に、利用者がアイコンに接触した場合、接触した位置を音像定位位置とすることができる。これによって、利用者は、所望の音像定位位置があいまいな場合、聴覚と視覚とによって確認しながら最適な音像定位位置を特定することができる。
【００３７】
また、本実施の形態の出力制御装置１００によれば、表示制御部１０６によって、表示画面に、移動体に搭載されたスピーカの配置位置に応じた音像定位位置を表示することができる。これによって、利用者は、たとえば、出力制御装置１００が車両に搭載されている場合も、表示画面によって音像定位位置を制御することができる。
【００３８】
また、本実施の形態の出力制御装置１００によれば、表示制御部１０６は、利用者の前後左右にそれぞれ配置されたスピーカの配置位置に応じた音像定位位置を表示することができる。これによって、利用者は、スピーカの配置位置に応じた音像定位位置を表示させることができるため、正確に音像定位位置を特定することができる。
【００３９】
また、本実施の形態の出力制御装置１００によれば、表示制御部１０６によって、表示画面に車室内のイラストを表示することができる。これによって、利用者は、出力制御装置１００が車両に搭載されている場合、車室内のイラストにおける位置に接触することで、その位置を音像定位とすることができるため、視覚で音像定位位置を確認することができる。
【実施例】
【００４０】
以下に、本発明の実施例について説明する。本実施例では、たとえば、車両（四輪車、二輪車を含む）などの移動体に搭載されるオーディオ装置によって、本発明の出力制御装置を実施した場合の一例について説明する。なお、本実施例においては、移動体に搭載されるオーディオ装置として説明しているが、複数のスピーカと、表示画面と、を備える装置であれば、車載用のナビゲーション装置や家庭用のオーディオ装置などでもよい。
【００４１】
（オーディオ装置のハードウェア構成）
つぎに、本実施例にかかるオーディオ装置３００のハードウェア構成について説明する。図３は、本実施例にかかるオーディオ装置のハードウェア構成を示すブロック図である。図３において、オーディオ装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、カメラ３１４と、を備えている。各構成部３０１〜３１４は、バス３２０によってそれぞれ接続されている。
【００４２】
まず、ＣＰＵ３０１は、オーディオ装置３００の全体の制御を司る。ＲＯＭ３０２は、ブートプログラム、データ更新プログラム、音像定位算出プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、オーディオ装置３００の全体の制御を司る。
【００４３】
音像定位算出プログラムは、ディスプレイ３１２上の利用者の接触した位置の座標を検出させる。そして、この座標と、ディスプレイ３１２に表示された車室内のイラストと、に対応する音像定位の設定値を算出させる。音像定位の設定値は、たとえば、前後の音量レベルを示すフェダーと、左右の音量レベルを示すバランスと、を含んでいる。
【００４４】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００４５】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどであってもよい。
【００４６】
磁気ディスク３０５および光ディスク３０７に記録される情報の一例としては、音声データが挙げられる。音声データは、複数のチャンネルを含んでおり、それぞれが異なるスピーカ３０９から出力される構成でもよい。また、音声データには、音像定位が設定されていてもよい。
【００４７】
音声Ｉ／Ｆ３０８は、音声出力用のスピーカ３０９に接続される。音声Ｉ／Ｆ３０８は、一例として、デジタル信号処理プロセッサ（ＤＳＰ）およびパワーアンプなどによって構成され、ＣＰＵ３０１の制御にしたがって、ＣＰＵ３０１によって算出された音像定位に基づいてスピーカ３０９からの音声出力を制御する。スピーカ３０９は、複数存在する構成でもよく、音声Ｉ／Ｆ３０８の制御にしたがって、たとえば、コンテンツに関する音声データや、ラジオ放送やテレビ放送などの音声データを出力する。
【００４８】
入力デバイス３１０は、文字、数値、各種指示などの入力のための複数のキーを備えたリモコン、キーボード、タッチパネルなどが挙げられる。入力デバイス３１０は、少なくともタッチパネルによって実現されていれば、複数の形態によって実現することも可能である。
【００４９】
映像Ｉ／Ｆ３１１は、ディスプレイ３１２に接続される。映像Ｉ／Ｆ３１１は、具体的には、たとえば、ディスプレイ３１２全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１２を制御する制御ＩＣなどによって構成される。
【００５０】
ディスプレイ３１２には、アイコン、カーソル、メニュー、ウインドウ、あるいは文字や画像などの各種データが表示される。ディスプレイ３１２には、車室内のイラストが表示されてもよい。ディスプレイ３１２に表示された車室内のイラストには、音像定位位置をあらわすアイコンなどを重ねて表示することができる。音像定位位置は、ＣＰＵ３０１によって算出される。また、ディスプレイ３１２には、配置されたスピーカ３０９の位置が表示されてもよい。
【００５１】
ディスプレイ３１２としては、たとえば、ＣＲＴ、ＴＦＴ液晶ディスプレイ、プラズマディスプレイなどを用いることができる。ディスプレイ３１２は、たとえば、車両のダッシュボード付近に設置される。ディスプレイ３１２は、車両のダッシュボード付近のほか、車両の後部座席周辺などに設置するなどして、車両において複数設置されていてもよい。
【００５２】
通信Ｉ／Ｆ３１３は、無線を介してネットワークに接続され、オーディオ装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。
【００５３】
通信網には、ＬＡＮ、ＷＡＮ、公衆回線網や携帯電話網などがある。具体的には、通信Ｉ／Ｆ３１３は、たとえば、ＦＭチューナーなどによって構成される。
【００５４】
カメラ３１４は、たとえば、車両内部の映像を撮影する。映像は静止画あるいは動画のどちらでもよく、たとえば、カメラ３１４によって車両内部の搭乗者の挙動を撮影し、撮影した映像を映像Ｉ／Ｆ３１１を介して磁気ディスク３０５や光ディスク３０７などの記録媒体に出力する。カメラ３１４によって撮影された車両内部の搭乗者の挙動から、ＣＰＵ３０１によって車両内部の搭乗者の人数や、搭乗者の座っているシートが判断されてもよい。また、記録媒体に出力された映像は、上書き記録や保存がおこなわれる。
【００５５】
図１に示した出力制御装置１００が備える音声出力部１０１、表示部１０２、接触判断部１０３、位置検出部１０４、時間判断部１０５、表示制御部１０６、音量制御部１０７は、図３に示したオーディオ装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、オーディオ装置３００における各部を制御することによってその機能を実現する。
【００５６】
すなわち、実施例のオーディオ装置３００は、オーディオ装置３００における記録媒体としてのＲＯＭ３０２に記録されている出力制御プログラムを実行することにより、図１に示した出力制御装置が備える機能を、図２に示した出力制御処理手順で実行することができる。
【００５７】
（オーディオ装置の搭載された車両におけるスピーカの配置の一例）
つぎに、図４を用いて、オーディオ装置３００が搭載された車両におけるスピーカ３０９の配置について説明する。図４は、オーディオ装置が搭載された車両におけるスピーカの配置の一例について示す説明図である。図４に示すように、スピーカ３０９は、オーディオ装置３００が搭載された車両の各部に設置される。
【００５８】
具体的には、図４に示すように、車両４００には、フロントシート４０１，４０２の前面に設置されたセンタースピーカＣＳｐと、フロントシート４０１の右側のドアに設置されたフロント（Ｒ）スピーカＦ（Ｒ）Ｓｐと、フロントシート４０２の左側のドアに設置されたフロント（Ｌ）スピーカＦ（Ｌ）Ｓｐと、リアシート４０３の右側のドアに設置されたリア（Ｒ）スピーカＲ（Ｒ）Ｓｐと、リアシート４０３の左側のドアに設置されたリア（Ｌ）スピーカＲ（Ｌ）Ｓｐと、リアシート４０３後方に設けられたバックセンタースピーカＢＣＳｐと、リアシート４０３後方の左右に設けられたサブウーハーＳＷと、が搭載されている。
【００５９】
これらのスピーカから、ＣＰＵ３０１によって算出された音像定位に基づいて音声データがそれぞれ調整されて出力される。ここで、センタースピーカＣＳｐ、フロント（Ｒ／Ｌ）スピーカＦ（Ｒ／Ｌ）Ｓｐ、リア（Ｒ／Ｌ）スピーカＲ（Ｒ／Ｌ）Ｓｐ、バックセンタースピーカＢＣＳｐは、それぞれ中高音出力用のスピーカである。また、サブウーハーＳＷは、中高音出力用のスピーカでは出力できない音声データの低音領域を出力するためのスピーカである。音声データの低音領域の出力は、音像定位にあまり影響を与えないため、サブウーハーＳＷからは、ＣＰＵ３０１によって算出された音像定位に関わらず音声データの低音領域が出力される構成でもよい。なお、スピーカ３０９の配置は、上述した形態に限らず、少なくとも中高音出力用のスピーカを２つ以上備えていればよい。
【００６０】
（オーディオ装置の処理の内容）
つぎに、オーディオ装置３００の処理の内容について説明する。図５は、オーディオ装置の処理の内容を示すフローチャートである。図５のフローチャートにおいて、まず、利用者がディスプレイ３１２にタッチするまで待機して（ステップＳ５０１：Ｎｏのループ）、利用者がディスプレイ３１２にタッチしたと判断された場合（ステップＳ５０１：Ｙｅｓ）、ディスプレイ３１２上のタッチ位置の座標を検出する（ステップＳ５０２）。そして、ステップＳ５０２において検出された座標を音像定位位置と特定する（ステップＳ５０３）。
【００６１】
つぎに、タッチ回数は１回より多いか否かを判断する（ステップＳ５０４）。ステップＳ５０２においてタッチ回数は１回と判断された場合（ステップＳ５０４：Ｎｏ）、ステップＳ５０１に戻り、以降の処理を繰り返しおこなう。
【００６２】
一方、ステップＳ５０４においてタッチ回数は１回より多いと判断された場合（ステップＳ５０４：Ｙｅｓ）、ステップＳ５０３において特定された音像定位位置に応じた車室内の音像定位の設定値を決定する（ステップＳ５０５）。そして、ステップＳ５０１：Ｙｅｓにおいて利用者がディスプレイ３１２にタッチしたと判断されてから、タッチされている時間が所定時間以上たったか否かを判断する（ステップＳ５０６）。
【００６３】
ステップＳ５０６において所定時間以上たったと判断された場合（ステップＳ５０６：Ｙｅｓ）、ステップＳ５０３において特定された位置まで、ディスプレイ３１２上の音像定位位置を示すアイコンをただちに移動する（ステップＳ５０７）。さらに、ステップＳ５０５において決定された設定値に、スピーカに出力する音源のフェダーおよびバランスを設定して（ステップＳ５０８）、一連の処理を終了する。
【００６４】
一方、ステップＳ５０６において所定時間以上たっていないと判断された場合（ステップＳ５０６：Ｎｏ）、ステップＳ５０３において特定された位置に向かって、ディスプレイ３１２上の音像定位位置を示すアイコンを１段階移動する（ステップＳ５０９）。さらに、ステップＳ５０９において移動されたアイコンの座標に応じて、ステップＳ５０５において決定された設定値に向かって、フェダーおよびバランスを１段階変更する（ステップＳ５１０）。
【００６５】
つぎに、ステップＳ５０９において移動されたアイコンに利用者がタッチしたか否かを判断する（ステップＳ５１１）。ステップＳ５１１においてアイコンに利用者がタッチしたと判断されない場合（ステップＳ５１１：Ｎｏ）、ステップＳ５０５において決定された設定値になったか否かを判断して（ステップＳ５１２）、設定値になった場合（ステップＳ５１２：Ｙｅｓ）、そのまま一連の処理を終了する。
【００６６】
ステップＳ５１２において設定値になっていない場合（ステップＳ５１２：Ｎｏ）、ステップＳ５０９に戻り、以降の処理を繰り返しおこなう。そして、ステップＳ５１１においてアイコンに利用者がタッチした場合（ステップＳ５１１：Ｙｅｓ）、利用者がタッチしたアイコンの座標を検出する（ステップＳ５１３）。そして、ステップＳ５１３において検出された座標に応じて、車室内の音像定位の設定値を変更する（ステップＳ５１４）。そして、ステップＳ５１４において変更された設定値に、スピーカに出力する音源のフェダーおよびバランスを設定して（ステップＳ５１５）、一連の処理を終了する。
【００６７】
なお、図５のフローチャートにおいては、ステップＳ５０４においてタッチ回数は１回より多いか否かを判断しているが、これに限るものではない。具体的には、たとえば、ステップＳ５０４を省き、タッチ回数に関わらずステップＳ５０５に進み、ステップＳ５０３において特定された音像定位位置に応じた車室内の音像定位の設定値を決定してもよい。
【００６８】
また、図５のフローチャートにおいては、ステップＳ５０６：Ｎｏにおいて所定時間以上たっていない場合、ステップＳ５０９に進む構成としているが、これに限るものではない。具体的には、たとえば、ステップＳ５０６を省略して、ステップＳ５０９に進み、ステップＳ５０３において特定された位置に向かって、ディスプレイ３１２上の音像定位位置を示すアイコンを１段階移動し、さらに、ステップＳ５０５において決定された設定値に向かって、フェダーおよびバランスを１段階変更する構成でもよい。この場合、利用者がディスプレイ３１２をタッチしている間、ステップＳ５０９およびステップＳ５１０を繰り返しおこない、利用者がディスプレイ３１２のタッチをやめた場合、そのときのアイコンの位置を音像定位位置と特定してもよい。
【００６９】
また、図５のフローチャートにおいては、ステップＳ５１１においてアイコンにタッチしたか否かを判断して、ステップＳ５１３において利用者がタッチしたアイコンの座標を検出するとしているが、これに限るものではない。具体的には、たとえば、ステップＳ５１１においては、ディスプレイ３１２の任意の位置にタッチしたか否かを判断する構成でもよい。この場合、ステップＳ５１３においては、ステップＳ５１１：Ｙｅｓにおいて利用者がディスプレイ３１２をタッチしたと判断されたときに、アイコンが表示されている位置の座標を検出する。
【００７０】
（ディスプレイに表示される表示内容の一例）
つぎに、図６を用いて、ディスプレイ３１２に表示される表示内容の一例について説明する。図６は、ディスプレイに表示される表示内容の一例について示す説明図である。図６においては、車室内のイラスト６００と、音像定位の設定値６１０と、が表示されている。車両内のイラスト６００には、座標軸６０１と、アイコン６０２と、スピーカのイラスト６０３〜６０８と、が付されている。アイコン６０２は、車室内の音像定位の位置を、車室内のイラスト６００の対応する位置に示している。
【００７１】
スピーカのイラスト６０３〜６０８は、具体的には、たとえば、センタースピーカＣＳｐのイラスト６０３と、フロント（Ｒ）スピーカＦ（Ｒ）Ｓｐのイラスト６０４と、フロント（Ｌ）スピーカＦ（Ｌ）Ｓｐのイラスト６０５と、リア（Ｒ）スピーカＲ（Ｒ）Ｓｐのイラスト６０６と、リア（Ｌ）スピーカＲ（Ｌ）Ｓｐのイラスト６０７と、バックセンタースピーカＢＣＳｐと、が含まれている。また、スピーカのイラスト６０３〜６０８は、表示しない構成でもよい。
【００７２】
音像定位の設定値６１０は、フェダーおよびバランスの設定値を示している。具体的には、フロント方向の設定値６１１と、ライト方向の設定値６１２と、レフト方向の設定値６１３と、バック方向の設定値６１４と、を示している。また、ディスプレイ３１２には、少なくとも、車室内のイラスト６００上の座標軸６０１が表示された領域にタッチパネルが積層されていることとする。
【００７３】
（利用者による音像定位位置の特定処理の内容の一例）
つぎに、図７を用いて、図５のフローチャートにおけるステップＳ５０１〜ステップＳ５０５について説明する。図７は、利用者による音像定位位置の特定処理の内容の一例について示す説明図である。図７に示すように、アイコン６０２は初期位置７０１に設定されている。ここで、図５のフローチャートにおけるステップＳ５０１：Ｙｅｓにおいて利用者がディスプレイ３１２にタッチしたと判断された場合、タッチした位置７０２の座標を検出し、位置７０２を音像定位位置と特定する。そして、位置７０２に対応した音像定位の設定値を決定する。
【００７４】
（フェダーおよびバランスの設定処理の内容の一例）
つぎに、図８を用いて、図５のフローチャートにおけるステップＳ５０６〜ステップＳ５０８について説明する。図８は、フェダーおよびバランスの設定処理の内容の一例について示す説明図である。図８に示すように、図５のフローチャートにおけるステップＳ５０６：Ｙｅｓにおいて、利用者が位置７０２をタッチしてから、タッチされている時間が所定時間以上たったと判断された場合、位置７０２にアイコン６０２をただちに移動させる。また、ステップＳ５０５において決定された位置７０２に応じた設定値に、スピーカに出力する音源のフェダーおよびバランスを設定する。
【００７５】
（フェダーおよびバランスの連続的な設定処理）
つぎに、図９を用いて、図５のフローチャートにおけるステップＳ５０９〜ステップＳ５１２について説明する。図９は、フェダーおよびバランスの連続的な設定処理の内容について示した説明図である。図９においては、図５のフローチャートにおけるステップＳ５０６：Ｎｏにおいて、利用者がディスプレイ３１２にタッチしてから、タッチされている時間が所定時間以上たっていないと判断された場合、アイコン６０２を任意の１段階ずつ初期位置７０１からタッチ位置７０２へ連続的に移動させる。具体的には、たとえば、初期位置７０１から位置９０１へアイコン６０２を１段階移動させる。そして、フェダーおよびバランスも位置９０１に応じて変更する。
【００７６】
同様に、位置９０１から位置９０２へ、また、位置９０２から位置９０３へ、アイコン６０２を段階的に移動させ、フェダーおよびバランスもアイコン６０２の位置に対応させて変更する。そして、利用者にタッチされず、アイコン６０２がタッチ位置７０２まで移動された場合、タッチ位置７０２を音像定位の設定値とする。
【００７７】
（利用者による音像定位位置の特定処理の内容の他の一例）
つぎに、図１０および図１１を用いて、図５のフローチャートにおけるステップＳ５１１、ステップＳ５１３〜ステップＳ５１５について説明する。図１０は、利用者による音像定位位置の特定処理の内容の他の一例について示す説明図である。図１０においては、図９において段階的に移動されているアイコン６０２を、たとえば、位置９０２において利用者がタッチしている。このとき、ステップＳ５１１においてアイコンに利用者がタッチしたと判断される。
【００７８】
（フェダーおよびバランスの設定処理の内容の他の一例）
図１１は、フェダーおよびバランスの設定処理の内容の他の一例について示す説明図である。図１１においては、図１０においてタッチされた位置９０２の座標を検出し、音像定位位置を、図７におけるタッチ位置７０２から、位置９０２に変更し、アイコン６０２の移動を位置９０２で止める。そして、フェダーおよびバランスを位置９０２に応じた設定値に変更する。
【００７９】
（座席ごとの指定位置）
つぎに、フェダーおよびバランスの設定処理の他の一例について説明する。図１２は、座席ごとの指定位置について示す説明図である。図１２においては、各座席ごとの指定位置１２０１〜１２０５と、各座席ごとの対応領域１２１１〜１２１５と、を示している。指定位置１２０１〜１２０５は、たとえば、あらかじめ利用者に設定された位置でもよい。指定位置１２０１〜１２０５は、利用者にそれぞれの対応領域１２１１〜１２１５がタッチされた場合に、音像定位位置と指定する位置である。指定位置１２０１〜１２０５は、搭乗者の人数や搭乗者の座っている位置に応じて、数が変更されてもよい。搭乗者の人数や搭乗者の座っている位置は、利用者によって設定されてもよいし、カメラ３１４によって撮影された映像に基づいて、ＣＰＵ３０１によって判断される構成でもよい。
【００８０】
（利用者による対応領域の特定処理の内容）
つぎに、図１３および図１４を用いて、利用者がフロントシート４０１の対応領域１２１１内にタッチした場合の処理について説明する。図１３は、利用者による対応領域の特定処理の内容について示す説明図である。図１３においては、アイコン６０２は、初期位置７０１に設定されている。そして、利用者は、フロントシート４０１の対応領域１２１１内の位置１３０１にタッチしている。
【００８１】
（指定位置におけるフェダーおよびバランスの設定処理の内容）
図１４は、指定位置におけるフェダーおよびバランスの設定処理の内容について示す説明図である。図１４に示すように、アイコン６０２を、初期位置７０１から位置１３０１が含まれる対応領域１２１１の指定位置１２０１へ移動する。さらに、フェダーおよびバランスを指定位置１２０１に応じた設定値に変更する。
【００８２】
図１３および図１４に示すように、指定位置１２０１〜１２０５をあらかじめ設定しておくことで、利用者は、ディスプレイ３１２上のだいたいの位置にタッチすることで、搭乗者の座っている位置にあった音像定位に変更することができる。
【００８３】
上述したように、本実施例のオーディオ装置３００によれば、接触判断部１０３によって利用者が表示画面に接触したと判断された場合、位置検出部１０４によって該利用者の接触した接触位置を検出する。そして、表示制御部１０６によって表示画面を制御して、位置検出部１０４によって検出された利用者の接触した接触位置にアイコンを移動し、音量制御部１０７によって、位置検出部１０４によって検出された接触位置が音像定位となるように、各スピーカに出力する音量を制御することができる。したがって、表示画面上の利用者の接触した接触位置を、音像定位位置として特定することができる。これによって、利用者は、大幅な調整をおこなう場合にも、簡単な操作で音像定位位置を特定することができる。また、利用者は、視覚と聴覚とで効果を確認しながらフェダーおよびバランスの調整をおこなうことができる。
【００８４】
また、本実施例のオーディオ装置３００によれば、音量制御部１０７によって、接触判断部１０３による判断結果に応じて、各スピーカに出力する音量を制御することができる。したがって、たとえば、利用者が表示画面に接触した回数によって、各スピーカに出力する音量を制御することができる。これによって、利用者は、たとえば、表示画面上においてもマウスのワンクリックとダブルクリックとのような感覚で、音像定位を操作することができる。また、利用者は、接触回数の違いによって様々な操作をおこなうことができる。
【００８５】
また、本実施例のオーディオ装置３００によれば、時間判断部１０５によって表示画面に接触していた時間が所定時間以上であると判断された場合、位置検出部１０４によって検出された接触位置がただちに音像定位となるように、音量制御部１０７によって、各スピーカに出力する音量を制御することができる。したがって、表示画面上において利用者が所定時間以上接触していた接触位置を、音像定位位置として特定することができる。これによって、利用者は、大幅な調整をおこなう場合にも、簡単な操作ですぐに音像定位位置を特定することができる。
【００８６】
また、本実施例のオーディオ装置３００によれば、時間判断部１０５によって表示画面に接触していた時間が所定時間以上であると判断された場合、表示制御部１０６によって、表示画面を制御して、位置検出部１０４によって検出された接触位置に、ただちにアイコンを移動することができる。したがって、表示画面上において利用者が所定時間以上接触していた接触位置に、すぐにアイコンを移動させることができる。これによって、利用者は、変更された音像定位の位置を視覚的に確認することができる。
【００８７】
また、本実施例のオーディオ装置３００によれば、時間判断部１０５によって表示画面に接触していた時間が所定時間以上であると判断されなかった場合、位置検出部１０４によって検出された接触位置に対応する音像定位に徐々に近づくように、音量制御部１０７によって、各スピーカに出力する音量を連続的に制御することができる。したがって、表示画面に接触していた時間が所定時間以上でない場合、接触位置に対応する音像定位まで徐々に音像定位位置を変更することができる。これによって、利用者は、所望の音像定位位置に正確に接触しなくても、徐々に変更される音像定位を聴覚で確認しながら、所望の音像定位位置を特定することができる。
【００８８】
また、本実施例のオーディオ装置３００によれば、時間判断部１０５によって表示画面に接触していた時間が所定時間以上であると判断されなかった場合、表示制御部１０６によって、表示画面を制御して、位置検出部１０４によって検出された接触位置まで徐々にアイコンを移動することができる。したがって、表示画面に接触していた時間が所定時間以上でない場合、接触位置に対応する音像定位まで徐々に音像定位位置を変更することができる。これによって、利用者は、所望の音像定位位置に正確に接触しなくても、徐々に変更される音像定位を聴覚と視覚とで確認しながら、所望の音像定位位置を特定することができる。
【００８９】
また、本実施例のオーディオ装置３００によれば、再接触判断部１０８によって利用者が表示画面上のアイコンに接触したと判断された場合、位置検出部１０４によって、該利用者の接触した接触位置を検出し、位置検出部１０４によって検出された接触位置が音像定位となるように、音量制御部１０７によって、各スピーカに出力する音量を制御することができる。したがって、徐々に音像定位位置を変更している間に、利用者がアイコンに接触した場合、接触した位置を音像定位位置とすることができる。これによって、利用者は、所望の音像定位位置があいまいな場合、聴覚と視覚とによって確認しながら最適な音像定位位置を特定することができる。
【００９０】
また、本実施例のオーディオ装置３００によれば、表示制御部１０６によって、表示画面に、移動体に搭載されたスピーカの配置位置に応じた音像定位位置を表示することができる。これによって、利用者は、たとえば、オーディオ装置３００が車両に搭載されている場合も、表示画面によって音像定位位置を制御することができる。
【００９１】
また、本実施例のオーディオ装置３００によれば、表示制御部１０６は、利用者の前後左右にそれぞれ配置されたスピーカの配置位置に応じた音像定位位置を表示することができる。これによって、利用者は、スピーカの配置位置に応じた音像定位位置を表示させることができるため、正確に音像定位位置を特定することができる。
【００９２】
また、本実施例のオーディオ装置３００によれば、表示制御部１０６によって、表示画面に車室内のイラスト６００を表示することができる。これによって、利用者は、オーディオ装置３００が車両に搭載されている場合、車室内のイラスト６００における位置に接触することで、その位置を音像定位とすることができるため、視覚で音像定位位置を確認することができる。
【００９３】
なお、本実施の形態で説明した出力制御方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００９４】
【図１】本実施の形態にかかる出力制御装置の機能的構成を示すブロック図である。
【図２】出力制御装置の出力制御処理手順を示すフローチャートである。
【図３】本実施例にかかるオーディオ装置のハードウェア構成を示すブロック図である。
【図４】オーディオ装置が搭載された車両におけるスピーカの配置の一例について示す説明図である。
【図５】オーディオ装置の処理の内容を示すフローチャートである。
【図６】ディスプレイに表示される表示内容の一例について示す説明図である。
【図７】利用者による音像定位位置の特定処理の内容の一例について示す説明図である。
【図８】フェダーおよびバランスの設定処理の内容の一例について示す説明図である。
【図９】フェダーおよびバランスの連続的な設定処理の内容について示した説明図である。
【図１０】利用者による音像定位位置の特定処理の内容の他の一例について示す説明図である。
【図１１】フェダーおよびバランスの設定処理の内容の他の一例について示す説明図である。
【図１２】座席ごとの指定位置について示す説明図である。
【図１３】利用者による対応領域の特定処理の内容について示す説明図である。
【図１４】指定位置におけるフェダーおよびバランスの設定処理の内容について示す説明図である。
【符号の説明】
【００９５】
１００  出力制御装置
１０１  音声出力部
１０２  表示部
１０３  接触判断部
１０４  位置検出部
１０５  時間判断部
１０６  表示制御部
１０７  音量制御部
１０８  再接触判断部
【図１】
2009027280.tif 000003
【図２】
2009027280.tif 000004
【図３】
2009027280.tif 000005
【図４】
2009027280.tif 000006
【図５】
2009027280.tif 000007
【図６】
2009027280.tif 000008
【図７】
2009027280.tif 000009
【図８】
2009027280.tif 000010
【図９】
2009027280.tif 000011
【図１０】
2009027280.tif 000012
【図１１】
2009027280.tif 000013
【図１２】
2009027280.tif 000014
【図１３】
2009027280.tif 000015
【図１４】
2009027280.tif 000016